【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
オーディオコンテンツおよび／または視聴覚コンテンツの受信器におけるオーディオコンテンツ復元方法であって、前記受信器は前記オーディオコンテンツを復元するように適合されており、前記オーディオコンテンツは、符号化された状態で受信され、オーディオサンプルの連続したフレームと、前記フレームの前記オーディオサンプルの少なくとも一部についてのポインタ種別情報とを含み、前記方法は、
前記フレームからオーディオサンプルを選択することであって、前記選択されるオーディオサンプルは、前記ポインタ種別情報から識別される、ことと、
前記選択されたサンプルのみを復元することと、
を含むことを特徴とする、前記方法。
【請求項２】
前記受信器は、公称復元速度および前記公称復元速度よりも大きい少なくとも１つの復元速度で前記オーディオコンテンツを復元するように適合されており、前記選択されたサンプルのみを復元することは、前記公称復元速度より大きい前記少なくとも１つの復元速度の１つで行われることを特徴とする、請求項１に記載の復元方法。
【請求項３】
前記ポインタ種別情報はヘッダパケットに含まれ、各前記ヘッダパケットは前記フレームの１つに関連付けられていることを特徴とする、請求項１または２に記載の復元方法。
【請求項４】
少なくとも１つの第１のオーディオサンプルを少なくとも１つの第２のオーディオサンプルと混合することをさらに含み、前記少なくとも１つの第１のオーディオサンプルおよび前記少なくとも１つの第２のオーディオサンプルは、前記オーディオサンプルについての前記ポインタ種別情報から選択されることを特徴とする、請求項１乃至３のいずれか一項に記載の復元方法。
【請求項５】
前記オーディオサンプルについての前記ポインタ種別情報は、復元されまたは切り捨てられるサンプルに関連するポインタと、混合される前記選択されたサンプルに関連するポインタとを含むことを特徴とする、請求項４に記載の復元方法。
【請求項６】
前記ポインタ種別情報は、混合されるサンプルの組の始まりを識別する情報、および／または混合されるサンプルの組の終わりを識別する情報を含むことを特徴とする、請求項４または５に記載の復元方法。
【請求項７】
前記ヘッダパケットは各々いくつかのポインタ種別情報のセットを含み、各前記セットはそれぞれ公称復元速度より大きい復元速度の可能な値の１つに関連付けられることを特徴とする、請求項３に記載の復元方法。
【請求項８】
オーディオコンテンツを復元するように構成された少なくとも１つのプロセッサーを備える、視聴覚コンテンツおよび／またはオーディオコンテンツの受信器／復号器であって、前記オーディオコンテンツは、符号化された状態で受信され、オーディオサンプルの連続したフレームと、前記フレームの前記オーディオサンプルの少なくとも一部についてのポインタ種別情報とを含み、前記少なくとも１つのプロセッサーは、
前記フレームからオーディオサンプルを選択し、前記選択されるオーディオサンプルは、前記ポインタ種別情報から識別され、
前記選択されたサンプルのみを復元するように構成されていることを特徴とする、前記受信器／復号器。
【請求項９】
オーディオコンテンツを符号化する方法であって、前記符号化されたオーディオコンテンツは、オーディオサンプルの連続したフレームと、前記フレームの前記オーディオサンプルの少なくとも一部についてのポインタ種別情報とを含み、前記符号化する方法は、復元されるオーディオサンプルを選択することと、前記ポインタ種別情報で前記選択されるオーディオサンプルを識別することとを含むことを特徴とする、前記方法。
【請求項１０】
コンピュータに請求項１乃至７のいずれか一項に記載の復元方法を実行させるコンピュータプログラム。
【請求項１１】
コンピュータに請求項１乃至７のいずれか一項に記載の復元方法を実行させるコンピュータプログラムが保存されたコンピュータ読取り可能記憶媒体。
【請求項１２】
コンピュータに請求項９に記載の符号化方法を実行させるコンピュータプログラム。
【請求項１３】
コンピュータに請求項９に記載の符号化方法を実行させるコンピュータプログラムが保存されたコンピュータ読取り可能記憶媒体。
【請求項１４】
オーディオコンテンツを符号化するように構成された少なくとも１つのプロセッサーを含む、オーディオコンテンツおよび／または視聴覚コンテンツの符号化器であって、前記符号化されたオーディオコンテンツは、オーディオサンプルの連続したフレームと、前記フレームのオーディオサンプルの少なくとも一部についてのポインタ種別情報とを含み、前記少なくとも１つのプロセッサーは、復元されるオーディオサンプルを選択し、前記ポインタ種別情報で前記選択されるオーディオサンプルを識別するように構成されていることを特徴とする、前記符号化器。
【手続補正２】
【補正対象書類名】明細書
【補正対象項目名】００８６
【補正方法】変更
【補正の内容】
【００８６】
本開示は上記の実施形態のみに関するのではなく、符号化時に定義された所要時間のコンテンツを受信および復元装置でそれよりも短い所要時間で復元することができるように、オーディオフレームの受信器が、符号化でオーディオストリームに挿入された情報に基づいてオーディオサンプルのサブセットのみを選択し、次いで公称所要時間よりも短い所要時間でオーディオコンテンツを復元する（例えばオーディオトーンを著しく変化させることなく）ことを可能にする目的の任意の方法に関する。
［付記１］
オーディオコンテンツおよび／または視聴覚コンテンツの受信器（ＰＶＲ）におけるオーディオコンテンツ復元方法であって、前記受信器（ＰＶＲ）は前記オーディオコンテンツを復元するために適合され、前記オーディオコンテンツは、符号化された状態で受信され、オーディオサンプル（ＳＡｎ）の連続したフレーム（Ｆｎ）と、前記フレーム（Ｆｎn）の前記オーディオサンプル（ＳＡｎ）の少なくとも一部についてのポインタ種別情報（ＰｔｒＢｎ、ＰｔｒＥｎ、ＰｔｒＭＢｎ、およびＰＴＲＭＥｎ）とを含み、前記方法は、
前記フレーム（Ｆn）からオーディオサンプルを選択するステップであって、前記選択されるオーディオサンプルは、前記ポインタ種別情報（ＰｔｒＢn、ＰｔｒＥn、ＰｔｒＭＢn、およびＰＴＲＭＥn）から識別される、ステップと、
前記選択されたサンプルのみを復元するステップと、
を含むことを特徴とする、前記方法。
［付記２］
前記受信器（ＰＶＲ）は、公称復元速度および前記公称復元速度よりも大きい少なくとも１つの復元速度で前記オーディオコンテンツを復元するように適合され、前記選択されたサンプルのみを復元する前記ステップは、前記公称値より大きい前記少なくとも１つの復元速度の１つで行われることを特徴とする、付記１に記載の復元方法。
［付記３］
前記ポインタ種別情報（ＰｔｒＢｎ、ＰｔｒＥｎ、ＰｔｒＭＢｎ、およびＰＴＲＭＥｎ）はヘッダパケット（Ｈｎ）に含まれ、各前記ヘッダパケット（Ｈｎ）は前記フレーム（Ｆｎ）の１つに関連付けられることを特徴とする、付記１または２に記載の復元方法。
［付記４］
少なくとも１つの第１のオーディオサンプルを少なくとも１つの第２のオーディオサンプルと混合するステップをさらに含み、前記少なくとも１つの第１のオーディオサンプルおよび前記少なくとも１つの第２のオーディオサンプルは、前記オーディオサンプルについての前記ポインタ種別情報（ＰｔｒＢｎ、ＰｔｒＥｎ、ＰｔｒＭＢｎ、およびＰＴＲＭＥｎ）から選択されることを特徴とする、付記１乃至３のいずれか一項に記載の復元方法。
［付記５］
前記オーディオサンプルについての前記ポインタ種別情報は、復元するかまたは切り捨てるサンプルに関連するポインタ（ＰｔｒＢｎ、ＰｔｒＥｎ）と、混合される前記選択されたサンプルに関連するポインタ（ＰｔｒＭＢｎ、ＰＴＲＭＥｎ）とを含むことを特徴とする、付記４に記載の復元方法。
［付記６］
前記ポインタ種別情報（ＰｔｒＢｎ、ＰｔｒＥｎ、ＰｔｒＭＢｎ、およびＰＴＲＭＥｎ）は、混合されるサンプルの組の始まりを識別する情報、および／または混合されるサンプルの組の終わりを識別する情報を含むことを特徴とする、付記４または５に記載の復元方法。
［付記７］
前記ヘッダパケットは各々いくつかのポインタ種別情報のセットを含み、各前記セットはそれぞれ前記公称復元速度より大きい前記復元速度の可能な値の１つ（ＳＰ１、ＳＰ２）に関連付けられることを特徴とする、付記２乃至６のいずれか一項に記載の復元方法。
［付記８］
オーディオコンテンツを復元するために構成された少なくとも１つのプロセッサーを備える、視聴覚コンテンツおよび／またはオーディオコンテンツの受信器／復号器（ＰＶＲ）であって、前記オーディオコンテンツは、符号化された状態で受信され、オーディオサンプル（ＳＡｎ）の連続したフレーム（Ｆｎ）と、前記フレーム（Ｆｎ）の前記オーディオサンプル（ＳＡｎ）の少なくとも一部についてのポインタ種別情報（ＰｔｒＢｎ、ＰｔｒＥｎ、ＰｔｒＭＢｎ、およびＰＴＲＭＥｎ）とを含み、前記少なくとも１つのプロセッサーは、
前記フレーム（Ｆｎ）からオーディオサンプルを選択し、前記選択されるオーディオサンプルは、前記ポインタ種別情報（ＰｔｒＢｎ、ＰｔｒＥｎ、ＰｔｒＭＢｎ、およびＰＴＲＭＥｎ）から識別され、
前記選択されたサンプルのみを復元するために構成されることを特徴とする、前記受信器／復号器（ＰＶＲ）。
［付記９］
オーディオコンテンツを符号化する方法であって、前記符号化されたオーディオコンテンツは、オーディオサンプルの連続したフレーム（Ｆn）と、前記フレーム（Ｆn）の前記オーディオサンプル（ＳＡn）の少なくとも一部についてのポインタ種別情報（ＰｔｒＢn、ＰｔｒＥn、ＰｔｒＭＢn、およびＰＴＲＭＥn）とを含み、前記符号化方法は、復元されるオーディオサンプルを選択するステップと、前記ポインタ種別情報（ＰｔｒＢn、ＰｔｒＥn、ＰｔｒＭＢn、およびＰＴＲＭＥn）で前記選択されるオーディオサンプルを識別するステップとを含むことを特徴とする、前記方法。
［付記１０］
コンピュータによって前記プログラムが実行されると、付記１乃至７のいずれか一項に記載の復元方法を実行するプログラムコード命令を含むことを特徴とする、コンピュータプログラム製品。
［付記１１］
コンピュータによって前記プログラムが実行されると、付記１乃至７のいずれか一項に記載の復元方法を実行するプログラムコード命令を含むコンピュータプログラムが保存されたコンピュータ読取り可能記憶媒体。
［付記１２］
コンピュータによって前記プログラムが実行されると、付記９に記載の符号化方法を実行するプログラムコード命令を含むことを特徴とする、コンピュータプログラム製品。
［付記１３］
コンピュータによって前記プログラムが実行されると、付記９に記載の符号化方法を実行するプログラムコード命令を含むコンピュータプログラムが保存されたコンピュータ読取り可能記憶媒体。
［付記１４］
オーディオコンテンツを符号化するために構成された少なくとも１つのプロセッサーを含む、オーディオコンテンツおよび／または視聴覚コンテンツの符号化器であって、前記符号化されたオーディオコンテンツは、オーディオサンプルの連続したフレーム（Ｆn）と、前記フレーム（Ｆn）のオーディオサンプル（ＳＡn）の少なくとも一部についてのポインタ種別情報（ＰｔｒＢn、ＰｔｒＥn、ＰｔｒＭＢn、およびＰＴＲＭＥn）とを含み、前記少なくとも１つのプロセッサーは、復元されるオーディオサンプルを選択し、前記ポインタ種別情報（ＰｔｒＢn、ＰｔｒＥn、ＰｔｒＭＢn、およびＰＴＲＭＥn）で前記選択されるオーディオサンプルを識別するために構成されることを特徴とする、前記符号化器。
［付記１５］
オーディオコンテンツの連続したフレーム（Ｆn）と、前記フレーム（Ｆn）の前記オーディオサンプル（ＳＡn）の少なくとも一部についてのポインタ種別情報（ＰｔｒＢn、ＰｔｒＥn、ＰｔｒＭＢn、およびＰＴＲＭＥn）とを含むストリームを搬送する信号であって、付記９に記載の符号化方法により符号化されたデータを含むことを特徴とする、前記信号。